(57)【要約】【課題】シールド端子に対しケーブルが相対的に離れる方向に引張力が加わっても、シールド端子に対しケーブルが相対的に離れることを防止できる電気的な接続信頼性が高いケーブルアッセンブリを提供する。【解決手段】編組１３の外周にスリーブ１６が加締められ、編組１３はスリーブ１６の前端部１６ｄ側で折り返し部１３ａにより折り返され、この折り返された編組１３Ａはスリーブ１６の外周を覆い、スリーブ１６の外周に折り返された編組１３Ａを介してシールド端子１７の編組圧着片１７ｂが加締められ、折り返された編組１３Ａはスリーブ１６と編組圧着片１７ｂにより挟持され、シース１４の外周にシース圧着片１７ｃが加締められ、シールド端子１７に対しケーブル１０が相対的に離れる方向Ｐに引張力が加わった場合、スリーブ１６が引張方向Ｐに移動することで、スリーブ１６の後端縁１６ｅとシース圧着片１７ｃの前端縁１７ｄが当接するようにした。【選択図】図６
2022000836.tif 000002
【特許請求の範囲】
【請求項１】
編組圧着片とシース圧着片を有するシールド端子と、編組とシースを有するケーブルと、前記編組の外周に取り付けられるスリーブと、を構成部品として備えたケーブルアッセンブリであって、
前記編組の外周には、前記スリーブが加締めにより配置されており、
前記編組は、前記スリーブの前端部側で折り返し部により折り返され、
前記折り返し部により折り返された編組は、前記スリーブの外周を覆っており、
前記スリーブの外周には、前記折り返し部により折り返された編組を介して、前記シールド端子の編組圧着片が加締められていて、前記折り返し部により折り返された編組は、前記スリーブと前記編組圧着片により挟持された状態となり、
前記ケーブルのシースの外周には、前記シールド端子のシース圧着片が加締められており、
前記シールド端子に対し前記ケーブルが相対的に離れる方向に引張力が加わった場合、前記スリーブが引張方向に移動することで、前記スリーブの後端縁と前記シース圧着片の前端縁が当接するようにしたケーブルアッセンブリ。
【請求項２】
前記シース圧着片の加締め部分における前記編組の内径と加締められていない前記シースの部分での前記編組の内径とが、同じか、または、略同等となるように、前記シース圧着片を前記シースの外周に加締めるようにした、請求項１に記載のケーブルアッセンブリ。
【請求項３】
前記スリーブは、Ｃ字板状に形成されており、前記Ｃ字板状のスリーブは、前記編組の外周に円筒状に加締められる、請求項１のケーブルアッセンブリ。
【請求項４】
前記スリーブは、一端側に係合凹部を、他端側に係合凸部を有しており、前記編組の外周に加締められると前記係合凹部に前記係合凸部が嵌め込まれる、請求項１又は３に記載のケーブルアッセンブリ。
【請求項５】
前記ケーブルの端末に露出の内部電線に接続した端子が装着されるインナーハウジングと、前記内部電線が挿通する挿通孔を有したインピーダンス調整用の整合部材と、を構成部品として更に備え、
前記インナーハウジングと前記整合部材は、前記シールド端子のシールド接続部内に一体化されて収容される、請求項１から４のいずれか１項に記載のケーブルアッセンブリ。
【発明の詳細な説明】
【技術分野】
【０００１】
本発明は、高速伝送コネクタ等のシールドコネクタのケーブルアッセンブリに関する。
【背景技術】
【０００２】
例えば、シールドツイストペア（ＳＴＰ）ケーブルを備えたシールドコネクタとして、特許文献１に記載されたＳＴＰコネクタがある。この特許文献１に記載のＳＴＰコネクタは、ＳＴＰ誘電体内に、ＳＴＰケーブルの撚られた一対の電線を包囲してシールドする編組線等のシールド導体をバレル部で加締めて圧着接続する外導体（シールド端子）を備えている。
【先行技術文献】
【特許文献】
【０００３】
【特許文献１】特開２０１８−６３７９５号公報
【発明の概要】
【発明が解決しようとする課題】
【０００４】
しかしながら、前記特許文献１に記載のＳＴＰコネクタでは、外導体に対しＳＴＰケーブルが相対的に離れる方向に引張力が加わった場合、編組線等のシールド導体がバレル部に対しズレたり、最悪の場合、シールド導体がバレル部から抜けてしまう虞がある。よって、ズレ等による外導体とＳＴＰケーブルにおける編組線等のシールド導体との電気的な接続信頼性が低下することが懸念される。
【０００５】
本発明は、このような従来技術が有する課題に鑑みてなされたものである。そして本発明の目的は、シールド端子に対しケーブルが相対的に離れる方向に引張力が加わっても、シールド端子に対しケーブルが相対的に離れることを防止することができる電気的な接続信頼性が高いケーブルアッセンブリを提供することにある。
【課題を解決するための手段】
【０００６】
本発明の態様に係るケーブルアッセンブリは、編組圧着片とシース圧着片を有するシールド端子と、編組とシースを有するケーブルと、前記編組の外周に取り付けられるスリーブと、を構成部品として備えたケーブルアッセンブリであって、前記編組の外周には、前記スリーブが加締めにより配置されており、前記編組は、前記スリーブの前端部側で折り返し部により折り返され、前記折り返し部により折り返された編組は、前記スリーブの外周を覆っており、前記スリーブの外周には、前記折り返し部により折り返された編組を介して、前記シールド端子の編組圧着片が加締められていて、前記折り返し部により折り返された編組は、前記スリーブと前記編組圧着片により挟持された状態となり、前記ケーブルのシースの外周には、前記シールド端子のシース圧着片が加締められており、前記シールド端子に対し前記ケーブルが相対的に離れる方向に引張力が加わった場合、前記スリーブが引張方向に移動することで、前記スリーブの後端縁と前記シース圧着片の前端縁が当接するようにしたものである。
【０００７】
前記シース圧着片の加締め部分における前記編組の内径と加締められていない前記シースの部分での前記編組の内径とが、同じか、または、略同等となるように、前記シース圧着片を前記シースの外周に加締めるようにすることが好ましい。
【０００８】
前記スリーブは、Ｃ字板状に形成されており、前記Ｃ字板状のスリーブは、前記編組の外周に円筒状に加締められることが好ましい。
【０００９】
前記スリーブは、一端側に係合凹部を、他端側に係合凸部を有しており、前記編組の外周に加締められると前記係合凹部に前記係合凸部が嵌め込まれることが好ましい。
【００１０】
前記ケーブルの端末に露出の内部電線に接続した端子が装着されるインナーハウジングと、前記内部電線が挿通する挿通孔を有したインピーダンス調整用の整合部材と、を構成部品として更に備え、前記インナーハウジングと前記整合部材は、前記シールド端子のシールド接続部内に一体化されて収容されることが好ましい。
【発明の効果】
【００１１】
本発明によれば、シールド端子に対しケーブルが相対的に離れる方向に引張力が加わっても、シールド端子に対しケーブルが相対的に離れることを防止することができる電気的な接続信頼性が高いケーブルアッセンブリを提供することができる。
【図面の簡単な説明】
【００１２】
【図１】本発明の実施形態に係るケーブルアッセンブリを用いるシールドコネクタの一例を示す斜視図である。
【図２】上記ケーブルアッセンブリの分解斜視図である。
【図３】上記ケーブルアッセンブリのインナーハウジングと整合部材の組み付け前の状態を示す斜視図である。
【図４】上記ケーブルアッセンブリのケーブルの端末に端子を組み付け前の状態を示す斜視図である。
【図５】上記ケーブルアッセンブリの正面図である。
【図６】図５中ＶＩ−ＶＩ線に沿う断面図である。
【図７】図５中ＶＩＩ−ＶＩＩ線に沿う断面図である。
【図８】上記ケーブルアッセンブリの要部の拡大断面図である。
【発明を実施するための形態】
【００１３】
以下、図面を用いて本発明の実施形態に係るケーブルアッセンブリについて詳細に説明する。
【００１４】
図１は本発明の実施形態に係るケーブルアッセンブリを用いるシールドコネクタの一例を示す斜視図である。図２はケーブルアッセンブリの分解斜視図である。図３はケーブルアッセンブリのインナーハウジングと整合部材の組み付け前の状態を示す斜視図である。図４はケーブルアッセンブリのケーブルの端末に端子を組み付け前の状態を示す斜視図である。図５はケーブルアッセンブリの正面図である。図６は図５中ＶＩ−ＶＩ線に沿う断面図である。図７は図５中ＶＩＩ−ＶＩＩ線に沿う断面図である。図８はケーブルアッセンブリの要部の拡大断面図である。
【００１５】
図１に示すように、シールドコネクタ１は、高速伝送用であり、ケーブル１０であるＳＴＰ（Shielded Twisted Pair）電線の端末に接続されるケーブルアッセンブリ２と、このケーブルアッセンブリ２が収容されるアウターハウジング３と、を備えている。つまり、シールドコネクタ１は、差動通信用の高速伝送コネクタであり、電磁的なシールド構造を有している。
【００１６】
図１に示すように、アウターハウジング３は、樹脂により箱形に形成されていて、ケーブルアッセンブリ２が収容されるアッセンブリ収容部３ａを有している。また、アウターハウジング３の上面３ｂ側には、図示しない相手コネクタと嵌合した際に嵌合状態を維持するためのロックアーム３ｃが設けられている。
【００１７】
また、図１、図２に示すように、ケーブルアッセンブリ２は、ケーブル１０と、金属製の雌端子（端子）１５と、スリーブ１６と、シールド端子１７と、インナーハウジング１８と、インピーダンス調整用の整合部材１９と、を構成部品として備えている。
【００１８】
図２、図４、図７に示すように、ケーブル１０は、撚られている２本の内部電線１１，１１と、シールド箔１２を介して２本の内部電線１１，１１を覆う金属製の編組１３と、この編組１３を覆う樹脂製の外部被覆であるシース１４と、を備えている。各内部電線１１は、金属製の芯線１１ａと、この芯線１１ａを覆う樹脂製の絶縁被膜１１ｂと、を有している。そして、ケーブル１０の端末１０ａ側に露出した２本の内部電線１１，１１は撚りが解かれていて、その各絶縁被膜１１ｂより露出した芯線１１ａに雌端子１５の一対の芯線圧着片１５ｂ，１５ｂが加締め加工により圧着接続されるようになっている。なお、雌端子１５は、一対の芯線圧着片１５ｂ，１５ｂの前側に図示しない相手コネクタの雄端子のタブが電気的に接続される接触部１５ａを有している。また、図２及び図４に示している雌端子１５では、一対の芯線圧着片１５ｂ，１５ｂは、加締められた形状が示されている。
【００１９】
図２、図４に示すように、スリーブ１６は、金属製で加締められる前の形状がＣ字板状に形成されており、ケーブル１０のシース１４の一部が切除されて露出した編組１３の外周に取り付けられるようになっている。このＣ字板状のスリーブ１６は、中央に複数本の凸部１６ａを、一端側に係合凹部１６ｂを、他端側に係合凸部１６ｃを、それぞれ有している。そして、図６、図８に示すように、後述するシールド端子１７の編組圧着片１７ｂをケーブル１０の折り返された編組１３Ａに加締めた際に、該編組１３Ａは、編組圧着片１７ｂ内の前側からシース圧着片１７ｃの前端縁１７ｄに隣接する位置に配置される。すなわち、図４、図７に示すように、Ｃ字板状のスリーブ１６は、編組１３の外周に円筒状に加締められて配置されると共に係合凹部１６ｂに係合凸部１６ｃが嵌め込まれた状態で、折り返された編組１３Ａで覆われるようになっている。つまり、図６〜図８に示すように、編組１３は、円筒状に加締められたスリーブ１６の前端部１６ｄで折り返し部１３ａにより折り返され、この折り返し部１３ａで折り返された編組１３Ａは円筒状のスリーブ１６の外周を覆っている。
【００２０】
図２に示すように、シールド端子１７は、板金材を用いた板金加工により形成されている。そして、シールド端子１７は、インナーハウジング１８及び整合部材１９を収容するシールド接続部としての筒状のハウジング収容部１７ａを有している。また、シールド端子１７は、ケーブル１０のシース１４の一部が切除されて露出した編組１３を加締めて接続する一対の編組圧着片１７ｂ，１７ｂと、ケーブル１０のシース１４を加締めて接続する一対のシース圧着片１７ｃ，１７ｃと、を有している。図６に示すように、シールド端子１７の編組圧着片１７ｂは、シース１４から露出した編組１３の外周に加締められたスリーブ１６を加締めると共に該スリーブ１６の外周を覆う折り返し部１３ａで折り返された編組１３Ａも加締めて接続するようになっている。つまり、スリーブ１６の外周には、折り返し部１３ａで折り返された編組１３Ａを介して編組圧着片１７ｂが加締められている。そして、折り返し部１３ａで折り返された編組１３Ａは、スリーブ１６と編組圧着片１７ｂにより挟持された状態となっており、シールド端子１７と編組１３は、電気的に接続されている。
【００２１】
ケーブル１０とシールド端子１７の加締め圧着接続を詳述すると、図６〜図８に示すように、ケーブル１０のシース１４の外周には、シールド端子１７のシース圧着片１７ｃが加締められている。また、ケーブル１０は、シールド端子１７に対して、編組圧着片１７ｂが折り返し部１３ａで折り返された編組１３Ａを介してスリーブ１６に加締められ、さらに、シース圧着片１７ｃがシース１４に加締められることにより、保持（固着）されている。この場合、図６、図８に示すように、スリーブ１６の後端縁１６ｅとシース圧着片１７ｃの前端縁１７ｄは隣接している。すなわち、スリーブ１６の後端縁１６ｅとシース圧着片１７ｃの前端縁１７ｄとの間には、軸方向において多少のクリアランスｔがある。なお、図２に示しているシールド端子１７では、一対の編組圧着片１７ｂ，１７ｂ及び一対のシース圧着片１７ｃ，１７ｃは、加締められた形状が示されている。
【００２２】
図２、図３、図６に示すように、インナーハウジング１８は、合成樹脂により楕円柱状に形成されていて、その両側にケーブル１０の端末に接続した雌端子１５が挿入される左右一対の端子収容室１８ａ，１８ａを有している。この各端子収容室１８ａ内に収容された雌端子１５は、図示しない係止手段により保持されている。また、インナーハウジング１８の上面１８ｂと下面１８ｃの後側の中央には、後述する樹脂製の整合部材１９の一対の係合突起１９ｂ，１９ｂが圧入する係合溝（係合凹部）１８ｄがそれぞれ形成されている。
【００２３】
図６、図７に示すように、整合部材１９は、インピーダンス調整用の誘電体であり、インナーハウジング１８とスリーブ１６との間に介装されて、インピーダンス不整合を抑制してシールドコネクタ１のケーブルアッセンブリ２の伝送性能を向上させるものである。図２、図３に示すように、インピーダンス調整用の整合部材１９は、２つの雌端子１５，１５に圧着接続された内部電線１１，１１の撚りが解かれた部分が挿通する一対の挿通孔１９ａ，１９ａを有した樹脂製の筒状に形成されている。さらに、整合部材１９は、上下部中央の前方にインナーハウジング１８の上下の係合溝１８ｄ，１８ｄに圧入する係合突起（係合部）１９ｂがそれぞれ突設されている。これら係合溝１８ｄと係合突起１９ｂは、インナーハウジング１８と整合部材１９を一体化させる係合手段を構成している。そして、図７に示すように、シールド端子１７の筒状のハウジング収容部１７ａ内には、一体化されたインナーハウジング１８と整合部材１９が収容され、係止片部１７ｅと係止凹部１９ｄから成る係止手段により保持されるようになっている。なお、誘電体である整合部材１９の代わりに、導電体である金属性の部材を用いても良い。
【００２４】
次に、上述したケーブルアッセンブリ２を構成する各構成部品の組み立て手順を説明する。
【００２５】
まず、ケーブル１０の端末１０ａのシース１４の一部を切除して編組１３を露出させ、この露出した編組１３の外周にスリーブ１６を円筒状に加締める。そして、図４に示すように、編組１３の折り返し部１３ａで折り返された編組１３Ａが円筒状のスリーブ１６の外周を覆うように編組１３の端部を折り返す。
【００２６】
次に、ケーブル１０の端末１０ａ側に露出した２本の内部電線１１，１１の各絶縁被膜１１ｂより露出した芯線１１ａに、雌端子１５の芯線圧着片１５ｂを加締め加工により圧着接続する。その後、２つの雌端子１５，１５をインピーダンス調整用の整合部材１９の一対の挿通孔１９ａ，１９ａに挿入してインナーハウジング１８の一対の端子収容室１８ａ，１８ａに収容する。
【００２７】
そして、インナーハウジング１８の係合溝１８ｄに整合部材１９の係合突起１９ｂを圧入して保持させ、この整合部材１９と一体化したインナーハウジング１８をシールド端子１７のハウジング収容部１７ａに収容する。その後、シールド端子１７の編組圧着片１７ｂをケーブル１０の編組１３の折り返し部１３ａで折り返された編組１３Ａに加締め、さらに、シース圧着片１７ｃをケーブル１０のシース１４に加締めることで、図１、図６に示すケーブルアッセンブリ２が完成する。
【００２８】
以上実施形態のケーブルアッセンブリ２によれば、図６に示すように、シールド端子１７に対しケーブル１０が離れる方向Ｐに引張力が加わっても、シールド端子１７のシース圧着片１７ｃに対しケーブル１０が相対的に離れることが防止される。
【００２９】
詳述すると、図６に示すように、ケーブルアッセンブリ２が搬送等される際や、高速伝送コネクタ用のシールドコネクタ１として車両に搭載される際等において、シールド端子１７に対しケーブル１０が相対的に離れる方向Ｐに引張力が加わる場合ある。この場合、スリーブ１６が引張方向Ｐに移動することで、スリーブ１６の後端縁１６ｅとシールド端子１７のシース圧着片１７ｃの前端縁１７ｄが当接する。この当接は、ケーブル１０が引っ張られ、編組１３の折り返し部１３ａがスリーブ１６の後端部を引張方向Ｐに押し、スリーブ１６が引張方向Ｐに変位することにより、生じる作用である。ケーブル１０は、シールド端子１７に対して編組圧着片１７ｂが折り返し編組１３Ａを介してスリーブ１６に加締められ、また、シース圧着片１７ｃがシース１４に加締められることで固着されてその保持力が確保されている。このため、前記当接により、ケーブル１０に引張力が加わっても、シールド端子１７に対しケーブル１０が相対的に離れる（ズレる）ことを防止することができる。よって、ズレによるシールド端子１７とケーブル１０における編組１３との電気的な接続信頼性が低下することを防止し、電気的な接続信頼性を高めている。さらに、ズレが防止されるので、ケーブルアッセンブリ２のケーブル１０の保持力の向上にもなる。
【００３０】
このように、ケーブルアッセンブリ２では、ケーブル１０に引張力が加わった際に、スリーブ１６の後端縁１６ｅとシールド端子１７のシース圧着片１７ｃの前端縁１７ｄが当接することにより、ケーブル１０の保持力が更に確保される。
【００３１】
また、図８に示すように、シース圧着片１７ｃにおけるシース１４の加締め状態は、シース圧着片１７ｃの加締め部分における編組１３の内径Ｂと、加締められていないシース１４の部分での編組１３の内径Ａとが、同じである。または、略同等となるように、シース圧着片１７ｃがシース１４の外周に加締められている。すなわち、「編組１３の内径Ｂ＝編組１３の内径Ａ、または、編組１３の内径Ｂ≒編組１３の内径Ａ」となるように、シース圧着片１７ｃがシース１４の外周に加締められている。そして、シース圧着片１７ｃの加締め量を高くするほど、編組１３の内径Ｂは小さくなり、保持力は高くなるが、「編組１３の内径Ｂ＜編組１３の内径Ａ」となり、軸方向において、ケーブル１０のインピーダンスがズレることになってしまう。しかしながら、ケーブルアッセンブリ２では、「編組１３の内径Ｂ＝編組１３の内径Ａ、または、編組１３の内径Ｂ≒編組１３の内径Ａ」であるため、ケーブル１０の保持力を確保しつつ、インピーダンスがズレることを防止することができる。
【００３２】
以上、本実施形態を説明したが、本実施形態はこれらに限定されるものではなく、本実施形態の要旨の範囲内で種々の変形が可能である。
【００３３】
すなわち、前記実施形態によれば、スリーブは、加締められる前の形状がＣ字板状で、加締め後に円筒状の形状になるが、加締められる前から円筒状等の筒状の形状でも良い。
【符号の説明】
【００３４】
２  ケーブルアッセンブリ
１０  ケーブル
１１  内部電線
１３  編組
１３ａ  折り返し部
１３Ａ  折り返し部により折り返された編組
１４  シース
１５  雌端子（端子）
１６  スリーブ
１６ｂ  係合凹部
１６ｃ  係合凸部
１６ｄ  前端部
１６ｅ  後端縁
１７  シールド端子
１７ａ  ハウジング収容部（シールド接続部）
１７ｂ  編組圧着片
１７ｃ  シース圧着片
１７ｄ  前端縁
１８  インナーハウジング
１９  インピーダンス調整用の整合部材
１９ａ  挿通孔
Ａ  シース圧着片で加締められていないシースの部分での編組の内径
Ｂ  シース圧着片の加締め部分における編組の内径
Ｐ  引張方向（相対的に離れる方向）
【図１】
2022000836.tif 000003
【図２】
2022000836.tif 000004
【図３】
2022000836.tif 000005
【図４】
2022000836.tif 000006
【図５】
2022000836.tif 000007
【図６】
2022000836.tif 000008
【図７】
2022000836.tif 000009
【図８】
2022000836.tif 000010